(57)【特許請求の範囲】
【請求項１】
液状化粧料を収容する変形可能な弾性材から成る収容部及び当該収容部の内外を連通する開口頚部を有する容器本体と、
前記開口頚部に着脱可能に装着されて前記開口頚部の蓋となる蓋部と、
前記蓋部に設けられ、当該蓋部が前記開口頚部に装着されたときに前記開口頚部を通して前記収容部内に進入する軸部及び当該軸部の先端に設けられ前記液状化粧料を被塗布部に塗布するための塗布体と、を具備した液状化粧料容器であって、
前記開口頚部に連設されて前記収容部内へ延び、前記塗布体が進入可能な有底筒形状を成すと共にその先端部分である有底側に前記液状化粧料を貯留可能な貯留部が設けられ、且つ、当該貯留部より開口頚部側の周面に前記液状化粧料を進入可能とする開口部が設けられたパイプ部を備え、
前記塗布体は、前記蓋部が前記開口頚部に装着されたときに、前記パイプ部内に進入し当該パイプ部の前記貯留部内に貯留される前記液状化粧料に浸かることを特徴とする液状化粧料容器。
【請求項２】
前記パイプ部の軸線方向の長さは、前記蓋部が前記開口頚部に装着されて前記塗布体が前記パイプ部内に進入した際に、前記塗布体が前記貯留部内の前記液状化粧料に浸かる長さに形成されていることを特徴とする請求項１記載の液状化粧料容器。
【請求項３】
前記貯留部は、前記パイプ部の前記貯留部以外の部分であるパイプ部本体と別体で構成され、当該パイプ部本体に対して着脱可能とされていることを特徴とする請求項１又は２記載の液状化粧料容器。
【請求項４】
前記パイプ部の前記開口部は、軸線方向に沿って２個以上が設けられ、少なくとも１個が、前記開口頚部近傍に設けられることを特徴とする請求項１〜３の何れか一項に記載の液状化粧料容器。
【請求項５】
前記貯留部は、その底面にスリットを有することを特徴とする請求項１〜４の何れか一項に記載の液状化粧料容器。
【発明の詳細な説明】
【技術分野】
【０００１】
本発明は、液状化粧料を塗布するための液状化粧料容器に関する。
【背景技術】
【０００２】
従来、液状化粧料を使用したマスカラやリップグロス等の化粧品には、金属製や硬い樹脂製の容器が多用されているが、以下の特許文献１に記載の化粧料容器のように、液状化粧料を収容する容器本体を、指圧によって変形するチューブやボトルタイプとし、液状化粧料を、容器本体内に進入している塗布体を用いて被塗布部に塗布するものが知られている。
【０００３】
また、液状化粧料を塗布体により被塗布部に塗布するタイプの化粧料容器においては、塗布体を保管する際の当該塗布体の防菌性を保つことが重要となるが、以下の特許文献２には、不使用時の筆部を、流動性物質が充填されているキャップで覆うことで、防腐・防黴性を備えるようにした筆ペンタイプの口紅容器が開示されている。
【先行技術文献】
【特許文献】
【０００４】
【特許文献１】特開２００８−１２５６４０号公報
【特許文献２】特開２００３−３１９８２５号公報
【発明の概要】
【発明が解決しようとする課題】
【０００５】
しかしながら、上記特許文献１にあっては、容器本体が指圧により変形可能であるため、液状化粧料を十分に使い切ることができる反面、誤って容器本体内の塗布体を押し潰し破損させてしまう虞がある。
【０００６】
また、上記特許文献２にあっては、化粧料である口紅と防腐・防黴性を保つための流動性物質を別々に収容することになるため、構成が複雑化し、製造コストが高くなるという問題がある。
【０００７】
そこで、本発明は、塗布体を十分保護しつつ液状化粧料を十分に使い切ることができると共に、簡易な構成で塗布体の防菌性（防腐・防黴性）を保つことができる液状化粧料容器を提供することを目的としている。
【課題を解決するための手段】
【０００８】
本発明による液状化粧料容器は、液状化粧料を収容する変形可能な弾性材から成る収容部及び当該収容部の内外を連通する開口頚部を有する容器本体と、開口頚部に着脱可能に装着されて開口頚部の蓋となる蓋部と、蓋部に設けられ、当該蓋部が開口頚部に装着されたときに開口頚部を通して収容部内に進入する軸部及び当該軸部の先端に設けられ液状化粧料を被塗布部に塗布するための塗布体と、を具備した液状化粧料容器であって、開口頚部に連設されて収容部内へ延び、塗布体が進入可能な有底筒形状を成すと共にその先端部分である有底側に液状化粧料を貯留可能な貯留部が設けられ、且つ、当該貯留部より開口頚部側の周面に液状化粧料を進入可能とする開口部が設けられたパイプ部を備え、塗布体は、蓋部が開口頚部に装着されたときに、パイプ部内に進入し当該パイプ部の貯留部内に貯留される液状化粧料に浸かることを特徴としている。
【０００９】
このような液状化粧料容器によれば、変形可能な弾性材から成る収容部内に、液状化粧料が収容される一方で、この収容部の内外を連通する開口頚部に連設されて収容部内へ延びるパイプ部が設けられ、このパイプ部の周面に液状化粧料を内部に進入可能とする開口部が設けられると共に、パイプ部の先端部分に、液状化粧料を貯留可能な貯留部が設けられる。そして、蓋部が開口頚部に装着されると、蓋部に設けられた軸部が、開口頚部を通してパイプ部内に進入し、この軸部の先端に設けられた塗布体が、貯留部に貯留された液状化粧料に浸かる状態となる。このように、塗布体は、貯留部に貯留された液状化粧料に浸かるため、貯留部内に液状化粧料を貯留するという簡易な構成で、塗布体の防菌性を保つことができる。また、使用者が収容部を指等で押圧すると、液状化粧料は開口部を通してパイプ部内に進入し貯留部に貯留されて塗布体に供することができるため、塗布体の防菌性を保ちつつ液状化粧料を十分に使い切ることができる。また、塗布体は、貯留部に進入しているため、塗布体を押し潰し破損させてしまうような押圧力が誤って収容部に対して作用した場合でも、貯留部及びパイプ部により塗布体を十分保護できる。
【００１０】
ここで、上記作用を効果的に奏する構成としては、具体的には、パイプ部の軸線方向の長さは、蓋部が開口頚部に装着されて塗布体がパイプ部内に進入した際に、塗布体が貯留部内の液状化粧料に浸かる長さに形成される構成が挙げられる。
【００１１】
また、貯留部は、パイプ部の貯留部以外の部分であるパイプ部本体と別体で構成され、当該パイプ部本体に対して着脱可能とされていると、液状化粧料に応じて、貯留部をパイプ部本体や開口頚部とは別材質（例えば軟らかい材質）から形成でき、種々の液状化粧料に対応することができる。
【００１２】
ここで、収容部内に液状化粧料を充填するためのノズルを、開口頚部を通してパイプ部内に進入させてから、当該液状化粧料を充填する場合、収容部内へ液状化粧料を所定量充填したら、パイプ部内で液状化粧料を充填しながらノズルを収容部内から引き出す方向へ移動させ当該収容部内から引き出すことになるが、開口部が軸線方向に１個であると、パイプ部内で液状化粧料を充填しながらノズルを引き出していく際に、液状化粧料がパイプ部内で逆流し開口頚部から溢れ出てしまうことがある。
【００１３】
そこで、パイプ部の開口部は、軸線方向に沿って２個以上が設けられ、少なくとも１個が、開口頚部近傍に設けられていると、パイプ部内で液状化粧料を充填しながらノズルを引き出していく際に、パイプ部内で逆流する液状化粧料は、開口頚部近傍の開口部から収容部内へ進入し、これにより、液状化粧料が開口頚部から溢れ出てしまうことを防止できる。
【００１４】
また、貯留部は、その底面にスリットを有していると、収容部内に液状化粧料を充填するためのノズルを、パイプ部内に進入させ、貯留部のスリットを通して、収容部内のパイプ部外に進入させ、この状態で、液状化粧料をノズルから充填することによって、当該液状化粧料を良好に収容部内に充填できる。また、当該スリットによれば、指圧により収容部を変形させ液状化粧料に圧力をかけることで、スリットを開き、当該スリットを通して貯留部内に液状化粧料を容易に進入させ貯留することができる一方で、指圧を開放することで、スリットを元の状態に戻し、当該スリットを通して貯留部から液状化粧料が漏出することを防止できる。
【発明の効果】
【００１５】
このように本発明によれば、塗布体を十分保護しつつ液状化粧料を十分に使い切ることができると共に、簡易な構成で塗布体の防菌性を保つことができる。
【図面の簡単な説明】
【００１６】
【図１】本発明の実施形態に係る液状化粧料容器を示す外観斜視図である。
【図２】図１に示す液状化粧料容器の一部破断斜視図である。
【図３】図１に示す液状化粧料容器の縦断斜視図である。
【図４】図１中の開口頚部、パイプ部本体及び貯留部を示す斜視図である。
【図５】図４の分解斜視図である。
【図６】図４及び図５中の貯留部を示す縦断斜視図である。
【図７】図１中の塗布体付き蓋部を示す斜視図である。
【図８】本発明の他の実施形態に係る液状化粧料容器の要部を示す縦断斜視図である。
【発明を実施するための形態】
【００１７】
以下、本発明による液状化粧料容器の好適な実施形態について図１〜図７を参照しながら説明する。図１〜図３は、本実施形態に係る液状化粧料容器を示す各斜視図、図４及び図５は、開口頚部、パイプ部本体及び貯留部を示す各斜視図、図６は、貯留部を示す斜視図、図７は、塗布体付き蓋部を示す斜視図である。なお、ここでは、特に好適であるとして、液状化粧料Ｌをリップグロスやリップとし、液状化粧料Ｌを被塗布部である唇に塗布するための塗布体３を、スパチュラとして説明していくが、液状化粧料Ｌをマスカラとし、塗布体３をスクリューブラシやフロッキーチップやコームとしても良く、他の液状化粧料及び塗布体を用いた液状化粧料容器とすることも勿論可能である。
【００１８】
図１〜図３に示すように、液状化粧料容器１００は、液状化粧料Ｌを収容した袋状容器（容器本体）１と、この袋状容器１に対して着脱可能に装着される塗布体３付きの蓋部２と、を備える。
【００１９】
袋状容器１は、平面視略長方形状の２枚のフィルム１ａ，１ａの周端同士を接合した接合部１ｂを有すると共に、この接合部１ｂの内側に袋部（収容部）１ｃを有し、さらに、袋部１ｃの内外を連通する開口頚部１ｄを有する。
【００２０】
接合部１ｂは、フィルム１ａ、１ａ同士を合わせ当該フィルム１ａ，１ａの端同士を所定幅で例えば熱溶着により接合することによって形成される。フィルム１ａとしては、種々のものを用いることが可能であるが、例えば、オレフィン系のポリエチレン、ポリプロピレンやポリエステル系のＰＥＴ等、これらにアルミ、アルミナ、シリカ等を蒸着したもの、さらにアルミフィルムをラミネートしたもの等を用いることができる。また、例えば、ＰＥＴ、ナイロン、ポリエチレン等の３層構造も採用できる。
【００２１】
袋部１ｃは、フィルム１ａ，１ａの周端同士を接合することによって接合部１ｂの内側に形成され、内部に液状化粧料Ｌを収容する。この袋部１ｃは、スクイーズ性を有する。そして、液状化粧料Ｌは、接合部１ｂによると共に蓋部２が袋状容器１に装着されることによりシールされる。なお、袋部１ｃは、例えば底部にマチを有していても良い。
【００２２】
開口頚部１ｄは、例えばポリエチレン等から形成され、接合部１ｂに取り付けられる取付部１ｅと、塗布体付き蓋部２を着脱可能に装着するための装着部１ｆを備える。取付部１ｅは、接合部１ｂのうちの、平面視略長方形を成すフィルム１ａの長手方向一端側の接合部に設けられる。この取付部１ｅは、接合部１ｂに例えば熱溶着により接合されることで固着されると共に、その中央部分に断面円形の貫通孔１ｇ（図３参照）を有し袋部１ｃ内外を連通する。この貫通孔１ｇは、塗布体３の挿通を可能とする。
【００２３】
装着部１ｆは、貫通孔１ｇと同径の筒孔を有する円筒状に構成されて外側に突出するように取付部１ｅに連設される。この装着部１ｆの外周面には、塗布体付き蓋部２と螺合し当該塗布体付き蓋部２を着脱可能とする雄螺子１ｈが形成されている。
【００２４】
また、装着部１ｆの内周面には、円筒形状の挿通部１ｉが設けられている。この挿通部１ｉは、塗布体３の挿通を可能とすると共に、その内周面に、塗布体３が通過する際に、塗布体３に付着した余分な液状化粧料Ｌを掻き取るための掻取部１ｊ（図３参照）を環状に有する。
【００２５】
また、本実施形態にあっては、開口頚部１ｄに連設されて袋部１ｃ内に進入する円筒状のパイプ部４が設けられている。このパイプ部４は、その筒孔が貫通孔１ｇに続き、当該筒孔内に塗布体３が挿通可能とされる。そして、パイプ部４は、袋部１ｃ内の中程迄延びるように設けられている。
【００２６】
また、図３〜図５に示すように、パイプ部４には、その周面に内外を連通し液状化粧料Ｌの進入を可能とする開口部４ａ，４ｂが設けられている。これらの開口部４ａ，４ｂは、軸線方向に沿って２個以上が並設され（ここでは２個）、軸線方向先端側（貯留部側）に開口部４ａが、開口頚部１ｄ近傍に開口部４ｂがそれぞれ設けられている。ここでは、先端側の開口部４ａが開口頚部１ｄ近傍の開口部４ｂより大きく開口されている。これらの開口部４ａ，４ｂの組は、周方向に沿って複数組設けられ、ここでは、２組が対向して設けられている。そして、これらの開口部４ａ，４ｂを通して液状化粧料Ｌがパイプ部４内に進入するようになっている。なお、ここでは、複数の開口部４ａ，４ｂが軸線方向に沿って一列に並設されているが、一列に並んでいなくても良く、例えば千鳥状に配設されていても良い。
【００２７】
パイプ部４は、その先端部分に、液状化粧料Ｌを貯留するための貯留部５を備える。この貯留部５は、図３〜図６に示すように、有底円筒形状に構成されて液状化粧料Ｌを貯留可能とすると共に、パイプ部４の貯留部５以外の部分（以下単にパイプ部本体４ｘと呼ぶ）に対して別部材とされている。貯留部５は、その軸線方向中程から開放端までの外周面が、これより底部側の外周面に対して段差部５ｃを介して小径とされていると共に、開放端側の外周面で、パイプ部本体４ｘの開口部４ａに対応する位置に、外側に突出するかえし５ｂを備えている。
【００２８】
この貯留部５は、かえし５ｂ側の小径部からパイプ部本体４ｘの開口部４ａ側に内挿され、段差部５ｃがパイプ部本体４ｘの端面に突き当てられることで、かえし５ｂが開口部４ａの縁に係止され（引っ掛かり）、これにより、パイプ部本体４ｘに対して軸線方向移動不能に装着される。
【００２９】
そして、貯留部５の内部は、液状化粧料Ｌの貯留領域とされ、蓋部２が開口頚部１ｄに装着されると、パイプ部４内を挿通した塗布体３が貯留部５内に進入して収容され、貯留部５内に貯留された液状化粧料Ｌに浸かるようになっている。なお、塗布体３は、貯留部５の底部には当接しないようになっている。
【００３０】
この貯留部５の底部には、内外を連通し得るスリット５ａが設けられる。スリット５ａは、ここでは、中心から放射状に６等配で延びているが、例えば、一文字や十文字等であっても良い。このスリット５ａは、通常時は、貯留部５内の液状化粧料Ｌを通過させないが、指圧により袋部１ｃが変形されて液状化粧料Ｌに圧力がかかると開き、貯留部５内に液状化粧料Ｌを進入させることが可能である。このスリット５ａは、金型成形により設けられるものでも良く、また、金型成形後にカッターにより形成された切れ目であっても良いが、液状化粧料Ｌの粘度が低い場合には、液状化粧料Ｌの貯留部５内からの漏出を防止すべく、カッターによる切れ目の方が好ましい。
【００３１】
なお、ここでは、パイプ部本体４ｘは、開口頚部１ｄを構成する取付部１ｅ及び装着部１ｆと共に一体成形されているが、これらのパイプ部本体４ｘ、取付部１ｅ、装着部１ｆと挿通部１ｉ、掻取部１ｊとを一体成形しても良く、その一体成形の組み合わせは任意に取り得る。また、パイプ部本体４ｘ、取付部１ｅ、装着部１ｆ、挿通部１ｉ及び掻取部１ｊを全て別部品とし、これらを組み付けるようにしても良い。
【００３２】
図１〜図３及び図７に示すように、塗布体付き蓋部２は、開口頚部１ｄの蓋となる蓋部２ａと、この蓋部２ａに設けられた塗布体３と、を備える。
【００３３】
蓋部２ａは、例えばＰＰ等から形成され、有底筒状に構成される。この蓋部２ａは、その開口端側の内周面に、開口頚部１ｄの外周面の雄螺子１ｈに螺合する雌螺子２ｈを有する。そして、蓋部２ａは、その雌螺子２ｈを雄螺子１ｈに螺合することで、袋状容器１に対して着脱可能に装着される。
【００３４】
また、蓋部２ａは、蓋部２ａ内から袋状容器１側に突出し袋状容器１の挿通部１ｉを挿通してパイプ部４内に進入する軸部２ｂを有し、この軸部２ｂの先端に、塗布体３が取り付けられている。軸部２ｂは、例えばＰＢＴ等から形成され、塗布体３である前述のスパチュラは、例えばＴＰＥ等から形成される。
【００３５】
そして、図２及び図３に示すように、蓋部２ａが開口頚部１ｄに螺子２ｈ，１ｈの螺合により装着されると（蓋部２ａが締められると）、軸部２ｂ及び塗布体３は、挿通部１ｉ、貫通孔１ｇを通してパイプ部４内に進入し、塗布体３は、パイプ部４の貯留部５内に進入するように構成されている。従って、パイプ部４の軸線方向の長さは、蓋部２が開口頚部１ｄに装着されて塗布体３がパイプ部４内に進入した際に、塗布体３が貯留部５内の液状化粧料Ｌに浸かる長さに形成されている。
【００３６】
このように構成された液状化粧料容器１００によれば、購入時（初期時）にあっては、袋部１ｃ内には液状化粧料Ｌが満たされており、塗布体３は、パイプ部４の貯留部５内に貯留される液状化粧料Ｌに十分に浸かり、当該塗布体３には液状化粧料Ｌが十分に付着する。
【００３７】
使用にあたっては、使用者は、蓋部２ａを回すことで蓋部２ａの雌螺子２ｈと開口頚部１ｄの雄螺子１ｈの螺合を解除し蓋部２ａを袋状容器１から取り外す。このとき、塗布体３は、掻取部１ｊを通過し余分な液状化粧料Ｌが掻き取られる。使用者は、塗布体３に液状化粧料Ｌが最適に付着した状態で使用に供し、使用後は、蓋部２ａを回しながら袋状容器１に装着する。
【００３８】
そして、使用に従い袋部１ｃ内の液状化粧料Ｌが少なくなってくるが、本実施形態の液状化粧料容器１００によれば、液状化粧料Ｌが少なくなってきても、貯留部５内に貯留された液状化粧料Ｌに塗布体３が浸かるため、貯留部５内に液状化粧料Ｌを貯留するという簡易な構成で、塗布体３の防菌性を保つことができる。
【００３９】
また、使用に従い袋部１ｃ内の液状化粧料Ｌがさらに少なくなってきても、蓋部２ａを袋状容器１に装着した状態で、使用者が袋部１ｃを指等で押圧することにより、具体的には、袋部１ｃのパイプ部４の無い部分（パイプ部４の周囲）を押圧することにより、袋部１ｃ内の液状化粧料Ｌが開口部４ａ，４ｂを通してパイプ部４内に進入し、貯留部５内に貯留されて塗布体３に供することができるため、塗布体３の防菌性を保ちつつ液状化粧料Ｌを十分に使い切ることができる。
【００４０】
なお、パイプ部４は、使用者が袋部１ｃを指等で押圧したときに液状化粧料Ｌがパイプ部４の開口部４ａ，４ｂを通してパイプ部４内に最適に進入するとして、袋部１ｃ内の中程まで延びるように構成されているが、その長さは、化粧料や仕様により適宜変更可能である。因みに、パイプ部４の長さを、袋部１ｃ内の中程より短くした場合には、その分の袋部１ｃ内の体積が増えて、より多くの液状化粧料Ｌを袋部１ｃ内に収容できる。
【００４１】
また、本実施形態によれば、塗布体３は、貯留部５に進入しているため、塗布体３を押し潰し破損させてしまうような押圧力が誤って袋部１ｃに対して作用した場合でも、貯留部５及びパイプ部４により塗布体３を十分保護できる。
【００４２】
また、本実施形態によれば、貯留部５は、パイプ部本体４ｘと別体で構成され、当該パイプ部本体４ｘに対して着脱可能とされているため、液状化粧料Ｌに応じて、貯留部５をパイプ部本体４ｘや開口頚部１ｄとは別材質（例えば軟らかい材質）から形成でき、種々の液状化粧料Ｌに対応することができる。
【００４３】
ここで、袋部１ｃ内に液状化粧料Ｌを充填する場合、液状化粧料Ｌを充填するためのノズルを、開口頚部１ｄを通してパイプ部４内に進入させ、具体的には、貯留部５のスリット５ａを通して袋部１ｃ内のパイプ部４外に進入させてから、袋部１ｃ内へ液状化粧料Ｌを所定量充填し、次いで、ノズルを貯留部５のスリット５ａを通してパイプ部４内に引き込みパイプ部４内で液状化粧料Ｌを充填しながら、当該ノズルを袋部１ｃから引き出す方向へ移動させ開口頚部１ｄを通して袋部１ｃから引き出すことになるが、開口部が軸線方向に１個であると、パイプ部４内で液状化粧料Ｌを充填しながらノズルを引き出していく際に、液状化粧料Ｌがパイプ部４内で逆流し開口頚部１ｄから溢れ出てしまうことがある。しかしながら、本実施形態によれば、パイプ部４の開口部４ａ，４ｂは、軸線方向に沿って２個以上（本実施形態では２個）が設けられ、少なくとも１個（本実施形態では１個）の開口部４ｂが、開口頚部１ｄ近傍に設けられているため、パイプ部４内で液状化粧料Ｌを充填しながらノズルを引き出していく際に、パイプ部４内で逆流する液状化粧料Ｌは、開口頚部１ｄ近傍の開口部４ｂから袋部１ｃ内へ進入し、これにより、液状化粧料Ｌが開口頚部１ｄから溢れ出てしまうことを防止できる。
【００４４】
また、本実施形態によれば、前述のように、貯留部５は、その底面にスリット５ａを有しているため、当該スリット５ａを通して上記ノズルを袋部１ｃ内のパイプ部４外に進入させた状態で液状化粧料Ｌを充填でき、その結果、液状化粧料Ｌを良好に袋部１ｃ内に充填できる。また、当該スリット５ａによれば、指圧により袋部１ｃを変形させ液状化粧料Ｌに圧力をかけることでスリット５ａを開き、当該スリット５ａを通して貯留部５内に液状化粧料Ｌを容易に進入させ貯留することができる一方で、指圧を開放することで、スリット５ａを元の状態に戻し、当該スリット５ａを通して貯留部５から液状化粧料Ｌが漏出することを防止できる。
【００４５】
なお、貯留部５のスリット５ａは、上記のように、特に液状化粧料Ｌの充填の観点（ノズルを出し入れするため）から設けるようにしているが、なくても良い。
【００４６】
また、貯留部５をパイプ部本体４ｘに対して別体として着脱可能としているが、例えば一体成形品としても良い。
【００４７】
図８は、本発明の他の実施形態に係る液状化粧料容器の要部を示す縦断斜視図である。
【００４８】
この実施形態では、円筒状の挿通部１ｉを貯留部５側に延ばして貯留部５と連結すると共に、挿通部１ｉと貯留部５とを連結する連結部分７を、外筒となるパイプ部本体４ｘの内側に位置し開口部４ａ、４ｂを同様に有する内筒とし、これらの挿通部１ｉ、掻取部１ｊ、連結部分７及び貯留部５を一体として、装着部１ｆ、取付部１ｅ及びパイプ部本体４ｘを一体とした外側の部材に対して組み付けた構成となっている。
【００４９】
以上、本発明をその実施形態に基づき具体的に説明したが、本発明は上記実施形態に限定されるものではなく、例えば、上記実施形態においては、特に好ましいとして、開口部を軸線方向に沿って２個以上設けるようにしているが、１個であっても良い。このように開口部が１個の場合でも、当該開口部が開口頚部１ｄ近傍まで延びていれば、前述したように開口部を軸線方向に沿って２個以上設けた場合と同様な作用・効果、すなわち、ノズルにより充填される液状化粧料Ｌが開口頚部１ｄから溢れ出るのを防止できるという作用・効果を奏する。
【００５０】
また、上記実施形態においては、液状化粧料Ｌを収容する収容部を袋部１ｃとし、フィルムより形成するようにしているが、収容部は、変形可能な弾性材から形成されていれば良い。
【符号の説明】
【００５１】
１…袋状容器（容器本体）、１ｃ…袋部（収容部）、１ｄ…開口頚部、２…塗布体付き蓋部、２ａ…蓋部、２ｂ…軸部、３…塗布体、４…パイプ部、４ａ…貯留部側の開口部、４ｂ…開口頚部近傍の開口部、４ｘ…パイプ部本体（パイプ部の貯留部以外の部分）、５…貯留部、５ａ…貯留部のスリット、１００…液状化粧料容器、Ｌ…液状化粧料。
【図１】
0006028166.tif 000002
【図２】
0006028166.tif 000003
【図３】
0006028166.tif 000004
【図４】
0006028166.tif 000005
【図５】
0006028166.tif 000006
【図６】
0006028166.tif 000007
【図７】
0006028166.tif 000008
【図８】
0006028166.tif 000009